(57)【要約】【課題】施工現場の作業効率を向上させることができる勾配屋根を備えた建物を得る。【解決手段】建物１１は、建物本体２１とその上部に設けられる小屋組３１とを備えている。建物本体２１の外周には、複数枚の外壁パネル２５が取り付けられている。小屋組３１は、屋根パネル群３２と、その屋根パネル群３２と建物本体２１との間に設けられる屋根パネル固定具３３、束３４，３５、母屋３６及び棟木３７とを備えている。屋根パネル群３２は、外壁パネル２５よりも屋内側の建物本体２１上に設けられる本体側屋根パネル４１，４２と、外壁パネル２５よりも屋外側へ突出するようにして設けられる軒側屋根パネル４３とを含む複数の屋根パネルから構成されている。本体側屋根パネル４１，４２は屋根パネル固定具３３、母屋３６及び棟木３７に架け渡されるようにして取り付けられ、軒側屋根パネル４３は連結具５１を介して外壁パネル２５に取り付けられている。【選択図】図１
2008266921.tif 000002
【特許請求の範囲】
【請求項１】
建物本体上に棟側から下り傾斜とされた屋根を有するとともに、その屋根が外壁より突出した軒部を有する建物であって、
前記屋根を構成する屋根下地材は、板状に形成された野地板を有し、
前記野地板を、外壁よりも屋内側となる本体側野地板と、この本体側野地板に連なって配置されて当該本体側野地板よりも軒側となる軒側野地板とに分割されていることを特徴とする建物。
【請求項２】
前記本体側野地板の屋外側端部が前記外壁を屋内側から支持する横架材の上方位置に配置されている請求項１に記載の建物。
【請求項３】
前記屋根下地材は、前記本体側野地板及び軒側野地板の下面に固定されて前記屋根の傾斜方向に延びる本体側垂木材及び軒側垂木材を有し、
前記本体側垂木材と軒側垂木材との間には、前記外壁の上端が収容される空隙が形成されている請求項１又は２に記載の建物。
【請求項４】
前記本体側野地板の屋外側端部が前記外壁よりも棟側に配置されるとともに、前記軒側野地板の屋内側端部が前記外壁よりも棟側に配置されている請求項３に記載の建物。
【請求項５】
前記軒側野地板の屋内側端部は前記本体側垂木材の屋外側端部上に支持されるものである請求項４に記載の建物。
【請求項６】
前記軒側野地板を含む軒側屋根下地材は、前記外壁に取り付けられている請求項１乃至５のいずれかに記載の建物。
【請求項７】
前記軒側野地板を含む軒側屋根下地材は、当該軒側屋根下地材の傾斜角度を調整する角度調整手段を含む連結具を介して前記外壁に取り付けられている請求項１乃至６のいずれかに記載の建物。
【請求項８】
請求項１乃至７のいずれかに記載の建物の施工方法であって、
前記建物本体上に前記本体側野地板を設置する第１工程と、
その工程と並行して又はその工程の後に、前記建物本体に前記外壁を設置する第２工程と、
を含む建物の施工方法。
【発明の詳細な説明】
【技術分野】
【０００１】
本発明は、勾配屋根を備えた建物及びその施工方法に関する。
【背景技術】
【０００２】
住宅等の建物において、柱や梁、軒桁等を組み付けて構築される建物本体の上部に複数の束を立設し、これら束に母屋や棟木などの横架材を組み付け、棟木から軒桁にかけて下方に傾斜するように垂木を架け渡して構築する小屋組構造が知られている。
【０００３】
最近では、施工性を高めるべく、建物本体上の軒基端部に軒受け具を設け、その軒受け具や母屋、棟木に野地板と垂木とからなる屋根パネルを複数取り付ける施工技術も採用されている。
【０００４】
このような垂木や屋根パネル等の屋根下地材は、外壁の上方を通って棟から軒先に至るまで架け渡されている。ここで、一般に外壁はクレーンを用いて吊り下げて建物本体に取り付けられる。したがって、屋根下地材を外壁よりも先に建物本体に取り付けてしまうと外壁の取付作業が困難となるばかりか取付不能となるおそれもある。このため、外壁を建物本体に取り付けた後に、屋根下地材を建物本体に取り付ける必要がある。すなわち、従来技術では、施工順序に制約があり、外壁の取付作業と屋根下地材の取付作業とを同時に行うことができず、作業効率が悪いという問題があった。
【０００５】
そこで、建物本体上に設ける本体側屋根トラスと、その本体側屋根トラスに取り付けられて軒を形成する軒側屋根トラスとからなる小屋組構造が提案されている（例えば、特許文献１参照）。
【０００６】
これによれば、本体側屋根トラスを建物本体上に組み付けて、その上部に屋根パネルを取り付ける作業と、外壁を建物本体に取り付ける作業とを同時に行うことができる。その結果、施工現場の作業効率を高めることができるものとされている。
【特許文献１】特開平７−６２７８１号公報
【発明の開示】
【発明が解決しようとする課題】
【０００７】
しかしながら、上記従来の技術では、軒部近傍に取り付ける屋根パネルは、本体側屋根トラスと軒側屋根トラスとに跨って取り付けられる。このため、本体側屋根トラスを建物本体上に設け、その本体側屋根トラスに軒側屋根トラスを取り付けた後でなければ、軒部近傍の屋根パネルを取り付けることができない。したがって、屋根パネルの設置には時間がかかり、雨が降ってきた場合には雨水が建物本体内へ浸入してしまうおそれがある。このような場合には、建物本体内への雨水の浸入を防ぐために、ビニルシート等の防水シートによって建物本体を覆う必要がある。
【０００８】
このように、いずれの従来技術の場合であっても、施工現場の作業効率が低下してしまうこととなる。
【０００９】
本発明は、上記事情に鑑みてなされたものであり、施工現場の作業効率を向上させることができる勾配屋根を備えた建物及びその施工方法を提供することを主たる目的とするものである。
【課題を解決するための手段】
【００１０】
本発明は、上記課題を解決するために、以下の手段を採用した。
【００１１】
手段１．建物本体上に棟側から下り傾斜とされた屋根を有するとともに、その屋根が外壁より突出した軒部を有する建物であって、
前記屋根を構成する屋根下地材は、板状に形成された野地板を有し、
前記野地板を、外壁よりも屋内側となる本体側野地板と、この本体側野地板に連なって配置されて当該本体側野地板よりも軒側となる軒側野地板とに分割されていることを特徴とする建物。
【００１２】
手段１によれば、板状に形成された野地板が、外壁よりも屋内側となる本体側野地板とこの本体側野地板に連なって配置されて当該本体側野地板よりも軒側となる軒側野地板とに分割されている。この場合、建物本体上に本体側野地板を設置した後であっても、軒側には軒側野地板がないため、外壁を建物本体に設置することが可能となる。すなわち、外壁の設置作業を待たずして、早期に本体側野地板を設置することが可能となる。これにより、雨が降った場合であっても本体側野地板によって建物本体内への雨水の浸入を抑制することができ、ビニルシート等の防水シートによって建物本体を覆う作業を軽減し又は不要とすることができる。また、本体側野地板の設置作業と並行して外壁の設置作業を行うことも可能である。その結果、施工現場の作業効率を向上させることができる。
【００１３】
さらに軒の出寸法等へのニーズに対して軒側の屋根下地材を変更するだけで対応することが可能となる。すなわち、従来技術では、例えば軒の出寸法を変更するためには、軒側の屋根下地材の変更に伴って本体側の屋根下地材も変更しなければならなかったが、本発明では、本体側の屋根下地材を変更せずに軒側の屋根下地材を変更するだけで対応することが可能となる。これにより、屋根のバリエーションを確保しつつ、生産すべき屋根下地材の種類を低減することもできる。
【００１４】
手段２．前記本体側野地板の屋外側端部が前記外壁を屋内側から支持する横架材の上方位置に配置されている手段１に記載の建物。
【００１５】
手段２によれば、本体側野地板の屋外側端部が外壁を屋内側から支持する横架材の上方位置に配置されている。すなわち、建物本体の上部のほぼ全体が本体側野地板に覆われることとなるため、建物本体への雨水の浸入を好適に抑制することができる。
【００１６】
手段３．前記屋根下地材は、前記本体側野地板及び軒側野地板の下面に固定されて前記屋根の傾斜方向に延びる本体側垂木材及び軒側垂木材を有し、
前記本体側垂木材と軒側垂木材との間には、前記外壁の上端が収容される空隙が形成されている手段１又は２に記載の建物。
【００１７】
手段３によれば、本体側垂木材と軒側垂木材との間に形成されている空隙に、外壁の上端が収容される。ここで、一般に垂木材は、外壁の上端位置よりも上方を通るようにして軒側から下方へ傾斜するように配置される。したがって、本発明では、地面から垂木材までの高さを低く抑えることができる。これにより、建物の高さを従来の建物よりも低く抑えることが可能となる。その結果、従来、通風や採光等を確保するための各種の斜線制限を受けざるを得なかった建物であっても、本発明によれば、それらの斜線制限を回避することができる。例えば、斜線制限により、前面道路から建物を後退せざるを得ず、道路側に不要なスペースを設けたり、間取りの変更を余儀なくされたり、あるいは所定の建物の高さに対応するために天井高が制約を受けたりするが、本発明では、これらの制限を回避し、設計の自由度を確保することができる利点がある。
【００１８】
手段４．前記本体側野地板の屋外側端部が前記外壁よりも棟側に配置されるとともに、前記軒側野地板の屋内側端部が前記外壁よりも棟側に配置されている手段３に記載の建物。
【００１９】
手段４によれば、本体側野地板の屋外側端部が外壁よりも棟側に配置されており、軒側野地板の屋内側端部が外壁よりも棟側に配置されている。ここで、一般に野地板は、棟から軒にかけて連続して設けられる。これに対して本発明では、本体側野地板と軒側野地板とが分割されていても、両野地板を連続して配置することを可能とし、さらには、建物本体上に本体側野地板を設置した後に外壁を設置することも可能とすることができる。
【００２０】
手段５．前記軒側野地板の屋内側端部は前記本体側垂木材の屋外側端部上に支持されるものである手段４に記載の建物。
【００２１】
手段５によれば、軒側野地板の屋内側端部が本体側垂木材の屋外側端部上に支持されるため、屋根下地材の支持強度低下を抑制することができる。すなわち、手段４の効果を奏するためには、軒側野地板の屋内側端部が外壁よりも棟側に配置する必要がある。この場合、屋内側端部は棟側へ延び、かつ支持されていない状態となっており、このままでは屋根下地材の支持強度が低下してしまうという不都合が生じると考えられる。これに対して本発明では、手段４の効果を奏しつつ、このような不都合も解消することができる。
【００２２】
手段６．前記軒側野地板を含む軒側屋根下地材は、前記外壁に取り付けられている手段１乃至５のいずれかに記載の建物。
【００２３】
手段６によれば、軒側屋根下地材が外壁に取り付けられている。したがって、外壁に軒側屋根下地材を予め工場にて取り付けておけば、施工現場において外壁を建物本体に設置することによって軒側屋根下地材が建物本体に取り付けられることとなる。その結果、建物本体に対する軒側屋根下地材の取付作業が不要となり、施工現場の作業効率をより一層高めることができる。
【００２４】
手段７．前記軒側野地板を含む軒側屋根下地材は、当該軒側屋根下地材の傾斜角度を調整する角度調整手段を含む連結具を介して前記外壁に取り付けられている手段１乃至６のいずれかに記載の建物。
【００２５】
手段７によれば、軒側屋根下地材は連結具を介して外壁に取り付けられており、当該軒側屋根下地材の傾斜角度が角度調整請手段によって調整される。これにより、施工現場への運搬時には、軒側屋根下地材の傾斜角度を外壁に対して例えば略平行になる側へと調整し、外壁をコンパクトにすることができる。その結果、外壁を効率良く運搬車に積載することができ、輸送効率を高めることが可能となる。また、施工現場においては、外壁に取り付けられた軒側屋根下地材の傾斜角度を角度調整手段により本体側屋根下地材の傾斜角度に合わせて屋根を形成することが可能となる。
【００２６】
手段８．手段１乃至７のいずれかに記載の建物の施工方法であって、
前記建物本体上に前記本体側野地板を設置する第１工程と、
その工程と並行して又はその工程の後に、前記建物本体に前記外壁を設置する第２工程と、
を含む建物の施工方法。
【００２７】
手段８によれば、建物本体上への本体側野地板の設置と並行して又はその後に、建物本体に外壁が設置される。すなわち、外壁の設置作業を待たずして、早期に本体側野地板を建物本体上に設置することができる。これにより、雨が降った場合であっても本体側野地板によって建物本体内への雨水の浸入を抑制することができ、ビニルシート等の防水シートにより建物本体を覆う作業が不要となる。その結果、施工現場の作業効率を向上させることができる。
【発明を実施するための最良の形態】
【００２８】
以下に、一実施の形態について図面を参照しつつ説明する。本実施形態は、例えば鉄骨軸組工法により構築された寄棟屋根の建物について具現化したものである。なお、図１は一実施形態における小屋組構造を示す縦断面図である。
【００２９】
図１に示すように、本実施形態の建物１１は、軽量鉄骨を組み立ててなる建物本体２１と、その上部に設けられる小屋組３１とを備えている。
【００３０】
建物本体２１は、水平方向に離間して設けられる一対の柱１２（図１では左側の柱１２のみを図示）が図の奥行方向に所定間隔をおいて複数設けられ、それら柱１２の上端に架け渡されるようにして水平に延びる軒桁１３が設けられ、軒桁１３の内側面に梁１４の両端が取り付けられていることにより構築されている。なお、柱１２は角形鋼管により構成され、軒桁１３及び梁１４はいずれもＨ形鋼により構成されている。
【００３１】
建物本体２１の外周には、複数の外壁パネル２５が取り付けられている。外壁パネル２５は、建物１１の屋外側に設けられる外壁板２６と、その背面側（屋内側）に取り付けられて外壁板２６を支持する支持フレーム２７とを備えている。外壁パネル２５は、その上端が軒桁１３の上端位置に一致するように柱１２及び軒桁１３の外側に取り付けられている。
【００３２】
一方、小屋組３１は、屋根パネル群３２と、その屋根パネル群３２と建物本体２１との間に設けられる屋根パネル固定具３３、束３４，３５、母屋３６及び棟木３７とを備えている。
【００３３】
屋根パネル群３２は、外壁パネル２５よりも屋内側の建物本体２１上に設けられる本体側屋根パネル４１，４２と、外壁パネル２５よりも屋外側へ突出するようにして設けられて軒４０を形成する軒側屋根パネル４３とを含む複数の屋根パネルから構成されている。本体側屋根パネル４１，４２及び軒側屋根パネル４３は、屋根材の下地となる平板状の野地板４１ａ，４２ａ，４３ａと、それら野地板４１ａ，４２ａ，４３ａの下面に取り付けられる垂木フレーム４１ｂ，４２ｂ，４３ｂとをそれぞれ備えている。これら垂木フレーム４１ｂ，４２ｂ，４３ｂは、各野地板４１ａ，４２ａ，４３ａの幅方向両端において、屋根の傾斜方向に沿って延びるようにしてそれぞれ取り付けられている。
【００３４】
屋根パネル固定具３３は、鋼板を折り曲げることにより形成されている。具体的には、屋根パネル固定具３３は、上下方向へ延びる取付板部３３ａと、その取付板部３３ａの上端から屋内側へ直角に延びる当接板部３３ｂと、その当接板部３３ｂのもう一端から屋内側へ斜め上方に延びて本体側屋根パネル４２を受ける受け板部３３ｃとを有している。屋根パネル固定具３３は、当接板部３３ｂが軒桁１３の上面に当接された状態で軒桁１３に取り付けられている。取付板部３３ａには、外壁パネル２５の背面上端が連結されている。これにより、外壁パネル２５は、Ｈ形鋼により構成される軒桁１３の側部に直接連結するよりも、その連結状態が安定する。
【００３５】
束３４，３５は、いずれも角形鋼管により構成され、平板状のベースプレート３８を介して梁１４に直立して配設されている。具体的には、束３５は、梁１４の左右中央に直立して配設され、束３４は、屋根パネル固定具３３と束３５との中間位置に直立して配設されている。束３５は束３４よりも高さ寸法が大きく、束３４は屋根パネル固定具３３よりも高さ寸法が大きく形成されている。これら束３４，３５及び屋根パネル固定具３３の高さ寸法及び配置位置の関係によって建物１１の屋根勾配が決定される。
【００３６】
束３４の上端には、図の奥行方向へ水平に延びる母屋３６が組み付けられ、束３５の上端には、図の奥行方向へ水平に延びる棟木３７が組み付けられている。そして、屋根パネル固定具３３、母屋３６及び棟木３７に本体側屋根パネル４１，４２が架け渡されるようにして取り付けられている。これにより、小屋組３１の頂部に棟３９が形成されるとともに、建物本体２１上に棟３９側から軒４０側へ下方に傾斜する本体側屋根パネル４１，４２が形成される。
【００３７】
また、棟木３７の上面には、幅方向の中央位置から両側にそれぞれ下方に傾斜する傾斜部３７ａ，３７ｂが形成されている。母屋３６の上面には、棟３９側から軒４０側へ下方に傾斜する傾斜部３６ａが形成されている。傾斜部３６ａ，３７ａ，３７ｂ及び屋根パネル固定具３３の受け板部３３ｃは、屋根パネル群３２の勾配に対応した傾斜角度を有している。このため、傾斜部３６ａ，３７ａ，３７ｂ及び受け板部３３ｃと、本体側屋根パネル４１，４２とは、これら当接部分において面接触した状態でボルトにより連結されている。この場合、ボルトの締結作業が容易となる他、本体側屋根パネル４１，４２の連結状態が安定する。
【００３８】
軒側屋根パネル４３は連結具５１を介して外壁パネル２５に取り付けられている。これにより、建物１１に軒４０が形成される。
【００３９】
連結具５１は矩形平板状をなし、外壁パネル２５に対して直角に延びるように取付具５２を介して外壁板２６に取り付けられている。また、連結具５１は、軒側屋根パネル４３の垂木フレーム４３ｂに対応する位置、すなわち、幅方向に離間した位置に一対設けられている。軒側屋根パネル４３と連結具５１とは、垂木フレーム４３ｂの側面部が連結具５１に当接され、その当接部分にて複数のボルトにより連結されている。本実施の形態では、回動用ボルト５３及び固定用ボルト５４により連結されている。具体的には、軒側屋根パネル４３の傾斜角度が、回動用ボルト５３を中心にして回動されることにより本体側屋根パネル４１，４２の傾斜角度と同一となった位置にて、軒側屋根パネル４３のボルト孔５５及び連結具５１のボルト孔に固定用ボルト５４がねじ込まれて連結されている。
【００４０】
以上の構成により、建物本体２１には、本体側屋根パネル４１，４２及び軒側屋根パネル４３によって、棟３９から軒４０にかけて下方に傾斜する屋根パネル群３２が形成されている。
【００４１】
次に、屋根パネル群３２の構成について詳しく説明する。
【００４２】
本体側屋根パネル４１は、棟木３７及び母屋３６に跨るようにして連結されている。具体的には、本体側屋根パネル４１における垂木フレーム４１ｂの屋根の傾斜方向両端が、棟木３７の傾斜部３７ａ及び母屋３６の傾斜部３６ａの一部にそれぞれ当接され、これら当接部分にてボルトにより連結されている。
【００４３】
本体側屋根パネル４２は、母屋３６及び屋根パネル固定具３３に跨るようにして連結されている。具体的には、本体側屋根パネル４２における垂木フレーム４２ｂの屋根の傾斜方向両端が、本体側屋根パネル４１が当接されている母屋３６の傾斜部３６ａの残りの一部及び屋根パネル固定具３３の受け板部３３ｃに当接され、これら当接部分にてボルトにより連結されている。
【００４４】
本体側屋根パネル４１，４２の野地板４１ａ，４２ａは、各垂木フレーム４１ｂ，４２ｂに対して棟３９側へ位置がずれるようにして当該垂木フレーム４１ｂ，４２ｂに取り付けられている。このため、本体側屋根パネル４１は、野地板４１ａが垂木フレーム４１ｂの棟側端部よりも棟３９側に突出して形成される棟側突出部４１ｃと、垂木フレーム４１ｂが野地板４１ａの軒側端部よりも軒４０側に突出して形成される軒側突出部４１ｄとを有している。同様に、本体側屋根パネル４２は、野地板４２ａが垂木フレーム４２ｂの棟側端部よりも棟３９側に突出して形成される棟側突出部４２ｃと、垂木フレーム４２ｂが野地板４２ａの軒側端部よりも軒４０側に突出して形成される軒側突出部４２ｄとを有している。
【００４５】
軒側屋根パネル４３の野地板４３ａの両端は、垂木フレーム４３ｂの両端に対して屋根の傾斜方向にそれぞれ突出している。したがって、軒側屋根パネル４３は、野地板４３ａが垂木フレーム４３ｂの棟側端部よりも棟３９側に突出して形成される棟側突出部４３ｃと、野地板４３ａが垂木フレーム４３ｂの軒側端部よりも軒４０側に突出して形成される軒側突出部４３ｄとを有している。
【００４６】
そして、本体側屋根パネル４１の棟側突出部４１ｃは、棟木３７の傾斜部３７ｂに設けられて向かい合う本体側屋根パネル４１の棟側突出部４１ｃに突き合わされている。これにより、小屋組３１の頂部が形成されている。
【００４７】
本体側屋根パネル４２の棟側突出部４２ｃは、本体側屋根パネル４１の軒側突出部４１ｄの上部に取り付けられている。軒側屋根パネル４３の棟側突出部４３ｃは、本体側屋根パネル４２の軒側突出部４２ｄの上部に取り付けられている。これにより、本体側屋根パネル４１，４２及び軒側屋根パネル４３は互いに連結され、強固な屋根パネル群３２が形成されている。この場合、本体側屋根パネル４１，４２の上面と軒側屋根パネル４３の上面とは、略同一平面上に配置された状態となっている。
【００４８】
軒側屋根パネル４３の棟側突出部４３ｃの下方近傍には、外壁パネル２５の上端が位置している。すなわち、棟側突出部４３ｃの下方近傍には、外壁パネル２５の上端を収容するスペースが確保されている。この場合、外壁パネル２５の上端は、垂木フレーム４１ｂ，４２ｂ，４３ｂの下面部に沿って結んだ仮想線４４よりも上方に突出した状態となっている。これにより、地上から屋根パネル群３２までの高さを、従来よりも例えば垂木フレーム４３ｂ分だけ低く抑えることができる。
【００４９】
次に、建物１１の施工方法について、図２及び図３を参照して説明する。なお、図２は屋根パネルの配置を示す平面図、図３は建物の施工方法を説明する説明図である。
【００５０】
まず、図３（ａ）に示すように、建物本体２１の施工工程では、基礎１５上において柱１２を水平方向に離間して設け、かつ図の奥行方向に所定間隔をおいて複数立設する。そして、複数の柱１２の上端に架け渡すようにして軒桁１３を設け、それら軒桁１３の内側に梁１４の両端を取り付ける。これにより、建物本体２１が構築される。
【００５１】
次に図３（ｂ）に示すように、小屋組３１の施工工程では、建物本体２１上に屋根パネル固定具３３や束３４，３５等をそれぞれ取り付ける。具体的には、屋根パネル固定具３３を建物本体２１の上縁部である軒桁１３に取り付ける（図示略）。また、束３５を梁１４の左右中央に立設し、束３４を屋根パネル固定具３３と束３５との中間位置に立設する。そして、屋根パネル固定具３３、母屋３６及び棟木３７に架け渡すようにして本体側屋根パネル４１，４２を取り付ける。本体側屋根パネル４１，４２は、建物本体２１上が覆われるまで取り付ける（図２参照）。これにより、建物本体２１上に本体側屋根パネル４１，４２が形成され、軒４０を除いた小屋組３１が構築される。その結果、雨が降ったとしても、建物本体２１内への雨水の浸入が抑制される。
【００５２】
次に図３（ｃ）に示すように、外壁パネル２５の取付工程では、建物本体２１の外周に外壁パネル２５を複数取り付ける。より詳しく説明すると、本実施の形態では、軒側屋根パネル４３が予め工場にて取り付けられた外壁パネル２５を施工現場に搬入する。この場合、外壁パネル２５と軒側屋根パネル４３とを、軒側屋根パネル４３が外壁パネル２５に対して平行になるように回動用ボルト５３により締結しておく。このような外壁パネル２５を運搬車に効率良く積載することにより輸送効率を高めることができる。なお、回動用ボルト５３は、軒側屋根パネル４３が外壁パネル２５に対して回動するように締結しておく。
【００５３】
上記状態の外壁パネル２５を、建物本体２１を構成する柱１２及び軒桁１３の外側に複数枚取り付ける。これにより、建物本体２１の外周に外壁パネル２５が形成される。
【００５４】
次に、外壁パネル２５に取り付けられている軒側屋根パネル４３を、回動用ボルト５３を中心にして回動させることにより軒側屋根パネル４３の棟側突出部４３ｃを本体側屋根パネル４２の軒側突出部４２ｄの上部に当接させる（図１参照）。これにより、建物本体２１に軒４０が形成される。また、この場合、軒側屋根パネル４３の傾斜角度が本体側屋根パネル４１，４２の傾斜角度と同一となる。これにより、棟３９から軒４０にかけて下方に傾斜する屋根パネル群３２が形成される。
【００５５】
最後に、回動用ボルト５３を強く締結するとともに、連結用ボルト５４を軒側屋根パネル４３のボルト孔５５及び連結具５１のボルト孔にねじ込んで、軒側屋根パネル４３を外壁パネル２５に本固定する。
【００５６】
以上の施工方法により、建物本体２１上に小屋組３１が形成され、建物１１が構築される。
【００５７】
以上説明した構成及び作用により、本実施形態の小屋組３１では、以下に示す有利な効果が得られる。
【００５８】
本実施の形態では、屋根パネル群３２は、本体側屋根パネル４１，４２と軒側屋根パネル４３とを含む複数の屋根パネルから構成されている。そして、建物本体２１上に本体側屋根パネル４１，４２を設けた後に、外壁パネル２５を建物本体２１に取り付けた。これにより、雨が降った場合であっても本体側屋根パネル４１，４２によって建物本体２１内への雨水の浸入を抑制することができ、ビニルシート等の防水シートにより建物本体２１を覆う作業が不要となる。その結果、施工現場の作業効率を向上させることができる。
【００５９】
また、軒４０の出寸法等へのニーズに対して軒側屋根パネル４３のみを変更するだけで対応することができる。すなわち、従来技術では、例えば軒４０の出寸法を変更するためには、軒側の屋根パネルの変更に伴って本体側の屋根パネルも変更しなければならなかったが、本実施の形態では、本体側屋根パネル４１，４２の変更が不要となる。これにより、屋根のバリエーションを確保しつつ、生産すべき屋根パネルの種類を低減することができる。
【００６０】
本実施の形態では、外壁パネル２５の上端は、垂木フレーム４１ｂ，４２ｂ，４３ｂの下面部に沿って結んだ仮想線４４よりも上方に突出した状態となっている。すなわち、従来よりも地面から屋根パネル群３２までの高さが低く抑えられている。したがって、建物１１の高さを低く抑えることも可能となる。その結果、従来技術では、各種の斜線制限を受けざるを得なかったものを、本実施の形態では、その斜線制限を回避することにより、以下に例示したような多様な効果が得られる。
【００６１】
すなわち、例えば、図４（ａ）に示すように、従来では、道路斜線制限を満たすために建物６０を道路から後退せざるを得なかったが、本実施形態の建物１１では、スペース６１だけ道路に近接させることができる。これにより、土地の大きさに対して比較的大きな建物１１とすることができ、土地の有効活用を図ることができる。
【００６２】
また、図４（ｂ）に示すように、従来の建物６０の背後に、隣家７０が近接している場合には、隣地斜線制限を満たすために建物６０の幅６２が制限されてしまう。これに対して、本実施形態の建物１１では、隣家７０に近接させることができ、さらには図４（ａ）の場合と同様に道路にも近接させることができるため、建物１１の幅６３を従来の建物６０の幅６２よりも広くすることができる。これにより、間取りの自由度を確保することができる。
【００６３】
また、図４（ｃ）に示すように、従来の建物６０では仮に道路に近づけて建築しようとすれば道路斜線制限を満たすためにその高さを低く抑えなければならず、それに伴って天井高６４も低くせざるを得なかったが、本実施形態の建物１１では天井高６５を低くすることなく、建物１１の高さを低くすることができる。その結果、建物１１の天井高６５を建物６０の天井高６４よりも高くすることができる。これにより、天井高を高くすることへのニーズに対して柔軟に対応することができる。
【００６４】
本実施の形態では、軒側屋根パネル４３の棟側突出部４３ｃが本体側屋根パネル４２の軒側突出部４２ｄに架け渡されるようにして取り付けられている。これにより、軒側屋根パネル４３を本体側屋根パネル４２に対して強固に連結することができ、その連結状態が安定する。仮に棟側突出部４３ｃが軒側突出部４２ｄに取り付けられていない場合、軒側突出部４３ｃは連結具５１のみによって支持された状態となり、その連結状態が不安定となる。
【００６５】
また、軒側屋根パネル４３に軒側突出部４３ｃが設けられていることにより、本体側屋根パネル４２，４３を建物本体２１上に取り付けた後であっても、外壁パネル２５を建物本体２１に支障なく取り付けることができる。すなわち、仮に本体側屋根パネル４２の野地板４２ａを軒４０側へ突出させ、その突出部分を軒側屋根パネル４３の垂木フレーム４３ｂに取り付けるように構成した場合、本体側屋根パネル４１，４２を建物本体２１上に取り付けた後に、外壁パネル２５を建物本体２１に取り付けようとしても、本体側屋根パネル４２の野地板４２ａの突出部分が邪魔となって取付不能となるおそれもある。これに対して、本実施の形態では、そのような不具合が生じることはない。
【００６６】
さらに、棟側突出部４３ｃの下方に外壁パネル２５の上端を収容するスペースを確保することもできる。
【００６７】
本実施の形態では、外壁パネル２５には軒側屋根パネル４３が予め工場にて取り付けられている。これにより、施工現場では外壁パネル２５を建物本体２１へ取り付けるだけで軒側屋根パネル４３が建物本体２１に取り付けられることとなる。その結果、建物本体２１に対する軒側屋根パネル４３の取付作業が不要となり、施工現場の作業効率をより一層高めることができる。
【００６８】
本実施の形態では、軒側屋根パネル４３が外壁パネル２５に対して略平行となる状態に折りたたまれた外壁パネル２５を施工現場まで運搬するようにした。これにより、軒側屋根パネル４３が突出している状態の外壁パネル２５を運搬車に積載するよりも効率良く積載することができるため、輸送効率を高めることができる。
【００６９】
本実施の形態では、外壁パネル２５に取り付けられた軒側屋根パネル４３を、回動用ボルト５３を中心に回動させて、軒側屋根パネル４３の棟側突出部４３ｃを本体側屋根パネル４２の軒側突出部４２ｄの上部に当接させることにより軒側屋根パネル４３の傾斜角度を本体側屋根パネル４１，４２の傾斜角度と同一にした。これにより、軒側屋根パネル４３の傾斜角度を容易に本体側屋根パネル４２，４３の傾斜角度と同一にすることができる。
【００７０】
なお、以上説明した実施の形態に限らず、例えば以下に別例として示した形態で実施することもできる。
【００７１】
上記実施の形態では、屋根下地材として、本体側屋根パネル４１等を用いたが、屋根パネルに限定されることはない。例えば、野地板とその下面に固定される垂木とが施工現場において個々に取り付けられるようにした屋根下地材により構成されていてもよい。
【００７２】
上記実施の形態では、外壁として、外壁板２６と支持フレーム２７とからなる外壁パネル２５を用いたが、特定の構成に限定されることはない。例えば、タイルやレンガからなる外壁であってもよい。
【００７３】
上記実施の形態では、垂木フレーム４１ｂ，４２ｂ，４３ｂの下面部に沿って結んだ仮想線４４よりも外壁パネル２５の上端が上方に突出するようにしたが、必ずしもこのような構成にする必要はない。すなわち、建物本体２１内への雨水の浸入を抑制する効果のみを得たい場合であれば、屋根下地材としての屋根パネルが本体側屋根パネル４１，４２と軒側屋根パネル４３とに分割されていればよい。
【００７４】
上記実施の形態では、本体側屋根パネル４１，４２の上面と軒側屋根パネル４３の上面とが略同一平面上となるように屋根パネル群３２を構成したが、これに限定されず、例えば、腰折れ屋根などであってもよい。
【００７５】
上記実施の形態では、軒側屋根パネル４３を、連結具５１を介して外壁パネル２５に取り付けたが、必ずしも連結具５１を用いる必要はない。例えば、軒側屋根パネル４３をボルト等により直接外壁パネル２５に取り付けてもよい。
【００７６】
上記実施の形態では、本体側屋根パネル４１，４２を建物本体２１上に取り付けた後に、外壁パネル２５を建物本体２１に取り付けたが、次のように施工順序を変更してもよい。すなわち、本体側屋根パネル４１，４２の取付作業と外壁パネル２５の取付作業とを並行して（同時に）行ってもよい。これによれば、施工現場の作業効率をより一層高めることができる。
【００７７】
上記実施の形態では、寄棟屋根を例に説明したが、特定の屋根形状に限定されることはない。例えば、切妻屋根や片流れ屋根などであってもよい。
【００７８】
上記実施の形態では、鉄骨軸組工法により構築された建物１１を例に説明したが、他の工法で構築された建物１１について適用することもできる。
【図面の簡単な説明】
【００７９】
【図１】一実施形態における屋根構造を示す縦断面図。
【図２】屋根パネルの配置を示す平面図。
【図３】建物の施工方法を説明する説明図。
【図４】一実施形態の建物と従来の建物との比較例を示す説明図。
【符号の説明】
【００８０】
１１…建物、１３…横架材としての軒桁、２１…建物本体、２５…外壁としての外壁パネル、３２…屋根下地材としての屋根パネル群、３９…棟、４０…軒、４１…本体側屋根パネル、４１ａ…本体側野地板としての野地板、４１ｂ…本体側垂木材としての垂木フレーム、４１ｃ…棟側突出部、４１ｄ…軒側突出部、４２…本体側屋根パネル、４２ａ…本体側野地板としての野地板、４２ｂ…本体側垂木材としての垂木フレーム、４２ｃ…棟側突出部、４２ｄ…軒側突出部、４３…軒側屋根パネル、４３ａ…軒側野地板としての野地板、４３ｂ…軒側垂木としての垂木フレーム、４３ｃ…棟側突出部、４３ｄ…軒側突出部、５１…連結具。
【図１】
2008266921.tif 000003
【図２】
2008266921.tif 000004
【図３】
2008266921.tif 000005
【図４】
2008266921.tif 000006